(57)【要約】【課題】  高圧引下げ線をスリーブによって圧縮接続する際に、スリーブの保持と圧縮が可能なスリーブ狭持機能付き圧縮接続用間接活線先端工具を提供する。【解決手段】  負荷側電線Ｅ１と電源側電線Ｅ２とを接続するための筒状のスリーブＳを狭持して圧縮接続し、スリーブＳと当接する第１の狭持面２１を有する第１の狭持部材２と、第１の狭持面２１と対向して第１の狭持部材２に揺動可能に連結されたスリーブＳと当接する第２の狭持面３１を有し、第１の狭持部材２とともにスリーブＳを狭持して圧縮接続する第２の狭持部材３とを備える圧縮接続部と、圧縮接続部と隣接して配設され、スリーブＳを狭持して保持し、スリーブＳと当接する第３の狭持面４１を有する第３の狭持部材４と、第３の狭持面４１と対向して第３の狭持部材４に揺動可能に連結されたスリーブＳと当接する第４の狭持面を有し、第３の狭持部材４とともにスリーブＳを狭持して圧縮接続する第４の狭持部材とを備えるスリーブ保持部と、を備える。【選択図】  図５
2015015853.tif 000002
【特許請求の範囲】
【請求項１】
負荷側電線と電源側電線とを接続するための筒状のスリーブを狭持して圧縮接続し、前記スリーブと当接する第１の狭持面を有する第１の狭持部材と、第１の狭持面と対向して前記第１の狭持部材に揺動可能に連結された前記スリーブと当接する第２の狭持面を有し、前記第１の狭持部材とともに前記スリーブを狭持して圧縮接続する第２の狭持部材とを備える圧縮接続部と、
前記圧縮接続部と隣接して配設され、前記スリーブを狭持して保持し、前記スリーブと当接する第３の狭持面を有する第３の狭持部材と、第３の狭持面と対向して前記第３の狭持部材に揺動可能に連結された前記スリーブと当接する第４の狭持面を有し、前記第３の狭持部材とともに前記スリーブを狭持して圧縮接続する第４の狭持部材とを備えるスリーブ保持部と、
を備えることを特徴とするスリーブ狭持機能付き圧縮接続用間接活線先端工具。
【請求項２】
前記スリーブ保持部は、前記スリーブを狭持して保持した状態を維持可能である、
ことを特徴とする請求項１に記載のスリーブ狭持機能付き圧縮接続用間接活線先端工具。
【発明の詳細な説明】
【技術分野】
【０００１】
この発明は、高圧引下げ線をスリーブによって圧縮接続する際に、高圧引下げ線の保持と圧縮が可能なスリーブ狭持機能付き圧縮接続用間接活線先端工具に関する。
【背景技術】
【０００２】
配電設備の保守作業などのための間接活線作業において、高圧引下げ線の縁部分で切断して停電作業をした場合は、作業終了後に高圧引下げ線をスリーブによって圧縮接続して復旧する。具体的には、図７に示すように、高所作業車上においてスリーブＳを先端側に取り付けた負荷側の高圧引下げ線（負荷側電線）Ｅ１を、第１の作業者がヤットコ１００によって把持する。また、第１の作業者は、電源側の高圧引下げ線（電源側電線）Ｅ２をもう１本のヤットコ１１０で把持して、負荷側電線Ｅ１に取り付けたスリーブＳに挿入した状態で保持する。そして、第２の作業者が、圧縮工具２００を操作してスリーブＳと負荷側電線Ｅ１および電源側電線Ｅ２とを圧縮接続する必要があった。
【０００３】
このため、第１の作業者が２本のヤットコ１００、１１０を把持して、負荷側電線Ｅ１と、電源側電線Ｅ２と、スリーブＳとを所定の位置に保持する必要があり、第１の作業者の負担が大きかった。また、第２の作業者による圧縮作業に時間を要した場合は、第１の作業者の負担がさらに大きくなってしまうものであった。
【０００４】
さらに、スリーブＳに挿入した負荷側電線Ｅ１、電源側電線Ｅ２の長さはそれぞれ２０ｍｍ程度であるので、負荷側電線Ｅ１と、電源側電線Ｅ２と、スリーブＳとを所定の位置に保持する作業には、熟練を要するものである。このため、第２の作業者が圧縮工具２００をスリーブＳの圧縮位置まで持ち上げる際に、ヤットコ１００、１１０と接触したりすることによって、位置がずれてしまうことがあった。
【０００５】
このようなスリーブの圧縮装置に関する従来技術の一例として、接続用スリーブを、昇降部とスリーブ上方受け部との間で、昇降部の上昇動作により圧縮されるように構成した間接活線工法用圧縮装置や（特許文献１参照。）、挟持部の可動片に、接続用スリーブの挟持・圧縮動作が行われる部分に、可動片の閉動作方向と略同一の方向に突出した小突起を有する間接活線工法用仮圧縮工具が知られている（特許文献２参照。）。また、遠隔位置であっても、電線の把持と接続スリーブの圧縮を単一の道具でできるスリーブ圧縮装置および連結アダプタが知られている（特許文献３参照。）。この技術は、ヤットコの把持部に取り付ける取付部と、電線の心線に外装する接続スリーブを圧縮接続する圧縮ペンチの連結部材に連結接続する菊座部と、を備えて、電線の把持位置と接続スリーブの圧縮位置とが所望の相対位置および相対姿勢になるように連結するものである。
【先行技術文献】
【特許文献】
【０００６】
【特許文献１】特開２０１２−１５７１４９号公報
【特許文献２】特開２０１３−００９５４６号公報
【特許文献３】特開２００８−１２５２９１号公報
【発明の概要】
【発明が解決しようとする課題】
【０００７】
しかしながら、特許文献１、２に記載の技術では、ヤットコで負荷側と電源側の電線をそれぞれ支持する第１の作業者と、圧縮工具を操作する第２の作業者の２名が必要であり、特許文献３に記載の技術は、２本のヤットコと、絶縁操作棒が必要であった。このため、いずれの特許文献においても、負荷側と電源側の電線を保持するためには２本のヤットコが必要となり、作業に熟練を要するものである。
【０００８】
そこで本発明は、高圧引下げ線をスリーブによって圧縮接続する際に、スリーブの保持と圧縮が可能なスリーブ狭持機能付き圧縮接続用間接活線先端工具を提供することを目的とする。
【課題を解決するための手段】
【０００９】
上記目的を達成するために請求項１に記載の発明は、負荷側電線と電源側電線とを接続するための筒状のスリーブを狭持して圧縮接続し、前記スリーブと当接する第１の狭持面を有する第１の狭持部材と、第１の狭持面と対向して前記第１の狭持部材に揺動可能に連結された前記スリーブと当接する第２の狭持面を有し、前記第１の狭持部材とともに前記スリーブを狭持して圧縮接続する第２の狭持部材とを備える圧縮接続部と、前記圧縮接続部と隣接して配設され、前記スリーブを狭持して保持し、前記スリーブと当接する第３の狭持面を有する第３の狭持部材と、第３の狭持面と対向して前記第３の狭持部材に揺動可能に連結された前記スリーブと当接する第４の狭持面を有し、前記第３の狭持部材とともに前記スリーブを狭持して圧縮接続する第４の狭持部材とを備えるスリーブ保持部と、を備えることを特徴とするスリーブ狭持機能付き圧縮接続用間接活線先端工具である。
【００１０】
この発明によれば、第３の狭持部材と第１の狭持部材によって、スリーブが狭持されて保持され、第２の狭持部材と第１の狭持部材によって、スリーブが狭持されて圧縮される。
【００１１】
請求項２に記載の発明は、請求項１に記載のスリーブ狭持機能付き圧縮接続用間接活線先端工具において、前記スリーブ保持部は、前記スリーブを狭持して保持した状態を維持可能である、ことを特徴とする。
【発明の効果】
【００１２】
請求項１に記載の発明によれば、圧縮接続部とスリーブ保持部とによって、スリーブの保持と圧縮とを一つの工具で行うことができるので、第１の作業者が２本のヤットコを使用する必要がなくなる。具体的には、第１の作業者が、負荷側の電線と圧縮接続したスリーブをスリーブ狭持機能付き圧縮接続用間接活線先端工具で保持した状態で、第２の作業者が、電源側の電線をヤットコで保持しながら、スリーブに挿入すればよい。このため、各作業者は両手でスリーブ狭持機能付き圧縮接続用間接活線先端工具やヤットコを把持することができるので、安定性が増し、操作が容易になる。
【００１３】
また、電源側の電線をスリーブに挿入した際に、工具を交換したり、位置を変えたりすることなく、スリーブを保持したスリーブ狭持機能付き圧縮接続用間接活線先端工具でそのまま圧縮接続することができるので、圧縮位置がずれるおそれがなくなる。これにより、作業の手間と時間を短縮し、誰でも容易に正確に作業することができる。
請求項２に記載の発明によれば、スリーブ保持部は、スリーブを狭持して保持した状態を保持可能であるので、スリーブ狭持機能付き圧縮接続用間接活線先端工具によってスリーブを持ち上げる際や、電源側の電線をスリーブに挿入した際に、スリーブを狭持するために力を加える必要がないのでより容易に操作することができる。
【図面の簡単な説明】
【００１４】
【図１】本発明の実施の形態に係わるスリーブ狭持機能付き圧縮接続用間接活線先端工具の正面図である。
【図２】図１のスリーブ狭持機能付き圧縮接続用間接活線先端工具において、負荷側電線をスリーブに挿入して狭持して保持した状態を示す要部斜視図である。
【図３】図１のスリーブ狭持機能付き圧縮接続用間接活線先端工具において、負荷側電線とスリーブとを圧縮接続し、スリーブ狭持機能付き圧縮接続用間接活線先端工具を電源側に動かす状態を示す要部斜視図である。
【図４】図１のスリーブ狭持機能付き圧縮接続用間接活線先端工具において、負荷側電線とスリーブとを圧縮接続し、スリーブ狭持機能付き圧縮接続用間接活線先端工具を電源側に動かした状態を示す要部斜視図である。
【図５】図１のスリーブ狭持機能付き圧縮接続用間接活線先端工具において、電源側電線をスリーブに挿入した状態を示す要部斜視図である。
【図６】図１のスリーブ狭持機能付き圧縮接続用間接活線先端工具において、電源側電線とスリーブとを圧縮接続する状態を示す要部斜視図である
【図７】従来の圧縮工具によって負荷側電線と電源側電線とを圧縮接続する状態を示す要部斜視部である。
【発明を実施するための形態】
【００１５】
つぎに、この発明の実施の形態について、図面を用いて詳しく説明する。
【００１６】
図１ないし図６は、本発明の実施の形態を示している。スリーブ狭持機能付き圧縮接続用間接活線先端工具１は、負荷側電線Ｅ１と電源側電線Ｅ２とを接続するための筒状のスリーブＳを狭持して保持し、圧縮接続するために用いられるものである。スリーブ狭持機能付き圧縮接続用間接活線先端工具１は、図１、図２に示すように、主として、圧縮接続部の第１の狭持部材およびスリーブ保持部の第４の狭持部材としての第１の狭持部材２と、圧縮接続部の第２の狭持部材としての第２の狭持部材３と、スリーブ保持部の第３の狭持部材としての第３の狭持部材４と、クリップ５と、支持部６と、菊座７と、絶縁カバー８とを有している。
【００１７】
圧縮接続部は、負荷側電線Ｅ１と電源側電線Ｅ２とを接続するための筒状のスリーブＳを狭持して圧縮接続し、スリーブＳと当接する第１の狭持面部２１を有する第１の狭持部材２と、第１の狭持面部２１と対向して第１の狭持部材２に揺動可能に連結されたスリーブＳと当接する第２の狭持面部３１を有し、第１の狭持部材２とともにスリーブＳを狭持して圧縮接続する第２の狭持部材３とを備えるものである。
【００１８】
スリーブ保持部は、圧縮接続部と隣接して配設され、スリーブＳを狭持して保持し、スリーブＳと当接する第３の狭持面４１を有する第３の狭持部材４と、第３の狭持面４１と対向して第３の狭持部材４に揺動可能に連結されたスリーブＳと当接する第４の狭持面を有し、第３の狭持部材４とともにスリーブＳを狭持して圧縮接続する第４の狭持部材とを備えるものである。
【００１９】
ここで、この実施の形態においては、第１の狭持部材２の第１の狭持面部２１は、後述する第２の狭持部材３の第２の狭持面部３１と第３の狭持部材４の第３の狭持面部４１を合わせた大きさを有しており、第１の狭持部材２において、第２の狭持面部３１と対向する部分は圧縮接続部の第１の狭持部材として、第３の狭持部材４の第３の狭持面部４１と対向する部分はスリーブ保持部の第４の狭持部材として作用するものとして説明する。
【００２０】
第１の狭持部材２は、電気絶縁性を有する材料で形成されており、図１に示すように、第１の狭持部材２の先端部は自由端となっており、矢印方向に揺動可能であり、後述する支持部６を介して接続された油圧ポンプ（図示略）によって第２の狭持部材３とともに開閉可能となっている。第１の狭持部材２は、図２に示すように、スリーブＳと接触し、第２の狭持部材３や第３の狭持部材４と対向する第１の狭持面部２１を有している。
【００２１】
この第１の狭持面部２１には、略水平にスリーブ保持溝２１ａ、２２ａが形成されている。スリーブ保持溝２１ａ、２２ａは、第２の狭持部材３を閉じた状態でスリーブ保持溝３１ａ、３２ａと溝を形成し、第３の狭持部材４を閉じた状態でスリーブ保持溝４１ａ、４２ａと溝を形成するように形状、大きさ、位置が設定されている。スリーブ保持溝２１ａは、スリーブ保持溝２２ａよりも小に形成されており、スリーブＳの径によって狭持するスリーブ保持溝２１ａ、２２ａを変えることができるようになっている。
【００２２】
第２の狭持部材３は、第１の狭持部材２と同一の電気絶縁性を有する材料で形成されており、図２に示すように、第１の狭持部材２の第１の狭持面部２１の一端側と対向して設けられ、第１の狭持部材２に揺動可能に連結され、第１の狭持部材２とともにスリーブＳを狭持して圧縮接続するものである。図１に示すように、第２の狭持部材３の先端部は自由端となっており、矢印方向に揺動可能であり、後述する支持部６を介して接続された油圧ポンプ（図示略）によって第１の狭持部材２とともに開閉可能となっている。第２の狭持部材３は、図２に示すように、スリーブＳと接触し、第１の狭持部材２と対向する第２の狭持面部３１を有しており、第２の狭持面部３１には略水平にスリーブ保持溝３１ａ、３２ａが形成されている。スリーブ保持溝３１ａは、第１の狭持部材２のスリーブ保持溝２１ａと対向するように形状、大きさ、位置が設定され、スリーブ保持溝３２ａは、スリーブ保持溝２２ａと対向するように形状、大きさ、位置が設定されている。
【００２３】
この第１の狭持部材２と第２の狭持部材３を油圧によって閉じた状態では、図６に示すように、第１の狭持面部２１と第２の狭持面部３１が接近して、スリーブ保持溝２１ａと３１ａ、または、スリーブ保持溝２２ａと３２ａによってスリーブＳを狭持して圧縮接続するようになっている。
【００２４】
第３の狭持部材４は、電気絶縁性を有する材料で形成されており、図２に示すように、第１の狭持部材２の第１の狭持面部２１の他端側と対向して設けられ、第１の狭持部材２に揺動可能に連結され、第１の狭持部材２とともにスリーブＳを狭持して保持するものである。図１に示すように、第３の狭持部材４の先端部は自由端となっており、矢印方向に揺動可能であり、後述するクリップ５によって第１の狭持部材２に対して開閉可能となっている。第３の狭持部材４は、図２に示すように、スリーブＳと接触し、第１の狭持部材２の第１の狭持面部２１の他端側と対向する狭持面部４１を有しており、第３の狭持面部４１には略水平にスリーブ保持溝４１ａ、４２ａが形成されている。スリーブ保持溝４１ａは、第１の狭持部材２のスリーブ保持溝２１ａと対向するように形状、大きさ、位置が設定され、スリーブ保持溝４２ａは、スリーブ保持溝２２ａと対向するように形状、大きさ、位置が設定されている。ここで、第３の狭持部材４は、第１の狭持部材２とともにスリーブＳを狭持して保持した際に、スリーブＳを圧縮したり、変形したりしないように設定されている。
【００２５】
クリップ５は、第３の狭持部材４を開閉操作するものであり、図１ないし図３に示すように、主として、第１のクリップ部材５１、第２のクリップ部材５２とが、連結軸５３を介して揺動自在に配設されている。このクリップ５は、図３に示すように、第１のクリップ部材５１の先端部と第２の第２のクリップ部材５２の先端部とを互いに接近させる方向に付勢する付勢手段（図示略）が設けられている。すなわち、第１のクリップ部材５１の挟持面と第２のクリップ部材５２の挟持面は、バネ（図示略）の付勢力によって密着するようになっている。このクリップ５は、具体的には、図１、図３に示すように、把持部５１ａ、５２ａを閉じて第１のクリップ部材５１、第２のクリップ部材５２が開いた状態から、図２に示すように、第１のクリップ部材５１、第２のクリップ部材５２を閉じた状態とすると第３の狭持部材４が閉じるようになっている。
【００２６】
支持部６は、油圧ポンプ（図示略）と連結可能となっており、油圧ポンプからの油圧によって第１の狭持部材２と第２の狭持部材３は開閉自在となる。
【００２７】
菊座７は、作業者が把持する操作棒（図示略）に連結可能となっており、連結した操作棒によってスリーブ狭持機能付き圧縮接続用間接活線先端工具１を負荷側電線Ｅ１の高さまで持ち上げられるようになっている。
【００２８】
絶縁カバー８は、電気絶縁性を有する材料で形成されており、図1に示すように、主として、スリーブ狭持機能付き圧縮接続用間接活線先端工具１の支持部６側の外周を覆うようになっている。
【００２９】
つぎに、スリーブ狭持機能付き圧縮接続用間接活線先端工具１による電線の圧縮接続作業の手順および作用について説明する。ここでは、配電設備の保守作業などのために、高圧引下げ線の縁部分で切断した停電作業の終了後に、スリーブＳによって圧縮接続して復旧する場合について説明する。
【００３０】
まず、高所作業車上において、第１の作業者によってヤットコ１００で負荷側電線Ｅ１が把持される。また、高所作業車上において、第２の作業者によってスリーブ狭持機能付き圧縮接続用間接活線先端工具１によってスリーブＳが把持される。具体的には、第２の作業者によってクリップ５の把持部５１ａ、５２ａが閉じられて、第１の狭持部材２と第３の狭持部材４とが開いた状態とされて、スリーブＳがスリーブ保持溝２１ａ、４１ａの間に位置した状態とされる。そして、把持部５１ａ、５２ａを閉じた状態が解除されると、第１のクリップ部材５１、第２のクリップ部材５２が閉じることで第３の狭持部材４が閉じられて、スリーブＳがスリーブ保持溝２１ａ、４１ａによって狭持して保持される。
【００３１】
そして、図２に示すように、第２の作業者によって第１の狭持部材２と第３の狭持部材４とによって狭持されたスリーブＳが操作棒（図示略）によって、負荷側電線Ｅ１まで持ち上げられる。
【００３２】
そして、図３に示すように、第２の作業者によって、スリーブ狭持機能付き圧縮接続用間接活線先端工具１によってスリーブＳの軸方向の略中心まで負荷側電線Ｅ１が挿入されて、油圧により第１の狭持部材２と第２の狭持部材３によって負荷側電線Ｅ１とスリーブＳとが狭持されて、圧縮接続される。
【００３３】
そして、第１の作業者によってヤットコ１００で負荷側電線Ｅ１が把持された状態で、第２の作業者によって第１の狭持部材２と第２の狭持部材３が開かれ、ヤットコ（図示略）によってクリップ５の把持部５１ａ、５２ａが閉じられて、第１の狭持部材２と第３の狭持部材４とが開いた状態とされる。
【００３４】
そして、図４に示すように、第２の作業者によって、スリーブ狭持機能付き圧縮接続用間接活線先端工具１が１８０°向きを変えた状態でスリーブＳの他端側（電源側）に移動される。
【００３５】
そして、第２の作業者によってヤットコが把持部５１ａ、５２ａから離されてクリップ５が閉じられてスリーブＳの他端側が狭持して保持される。
【００３６】
そして、図５に示すように、第１の作業者によってヤットコ１００によって電源側電線Ｅ２がスリーブＳの軸方向の略中心まで挿入される。
【００３７】
そして、図６に示すように、第２の作業者によって、油圧により第１の狭持部材２と第２の狭持部材３によって電源側電線Ｅ２とスリーブＳとが狭持されて、圧縮接続される。
【００３８】
このように、スリーブ狭持機能付き圧縮接続用間接活線先端工具１を用いることにより、負荷側電線Ｅ１と電源側電線Ｅ２をスリーブＳによって圧縮接続する際に、スリーブ狭持機能付き圧縮接続用間接活線先端工具１によってスリーブＳの保持と圧縮が可能である。すなわち、負荷側電線Ｅ１と電源側電線Ｅ２をそれぞれ保持する２本のヤットコが不要となるので、熟練を要することなく誰にでも容易に圧縮接続作業を行うことができる。
【００３９】
以上のように、このスリーブ狭持機能付き圧縮接続用間接活線先端工具１によれば、図６に示すように、スリーブＳの保持と圧縮とを一つの工具で行うことができるので、図７に示すように、第１の作業者が２本のヤットコを使用する必要がなくなる。具体的には、第１の作業者が、スリーブＳと圧縮接続された負荷側電線Ｅ１を操作棒に連結されたスリーブ狭持機能付き圧縮接続用間接活線先端工具１で保持した状態で、第２の作業者が、電源側電線Ｅ２をヤットコ１００で保持しながら、スリーブＳに挿入すればよい。このため、各作業者は両手で操作棒に連結されたスリーブ狭持機能付き圧縮接続用間接活線先端工具１や、ヤットコ１００を把持することができるので、安定性が増し、操作が容易になる。
【００４０】
また、電源側電線Ｅ２をスリーブＳに挿入した際に、工具を交換したり、位置を変えたりすることなく、スリーブＳを保持したスリーブ狭持機能付き圧縮接続用間接活線先端工具１によってそのまま圧縮接続することができるので、圧縮位置がずれるおそれがなくなる。これにより、作業の手間と時間を短縮し、誰でも容易に正確に圧縮接続作業することができる。
【００４１】
さらに、第３の狭持部材４は、第１の狭持部材２とともにスリーブＳを狭持して保持した状態を保持可能であるので、スリーブ狭持機能付き圧縮接続用間接活線先端工具１によって負荷側電線Ｅ１を持ち上げる際や、電源側電線Ｅ２をスリーブＳに挿入した際に、スリーブＳを狭持するために力を加える必要がないのでより容易に操作することができる。
【００４２】
以上、この発明の実施の形態を詳述してきたが、具体的な構成は上記の実施の形態に限られるものではなく、この発明の要旨を逸脱しない範囲の設計の変更等があっても、この発明に含まれる。例えば、この実施の形態においては、クリップ５によって、第３の狭持部材４を開閉操作するものとして説明したが、他の構成であってもよいことはもちろんであり、例えば、ヤットコによって操作可能なネジによって第３の狭持部材４を開閉する構成としてもよい。
【００４３】
また、スリーブ保持部を圧縮接続部とは別に構成するようにし、圧縮接続部を図７に示す従来の圧縮工具の圧縮接続部として構成し、スリーブ保持部を独立した第３の狭持部材と第４の狭持部材とから構成してもよい。
【符号の説明】
【００４４】
１              スリーブ狭持機能付き圧縮接続用間接活線先端工具
２              第１の狭持部材（圧縮接続部の第１の狭持部材、スリーブ保持部の第４の狭持部材）
２１            狭持面部
２１ａ          スリーブ保持溝
３              第２の狭持部材（圧縮接続部の第２の狭持部材）
３１            狭持面部
３１ａ          スリーブ保持溝
４              第３の狭持部材（スリーブ保持部の第３の狭持部材）
５              クリップ
５１            第１のクリップ部材
５２            第２のクリップ部材
６              軸部
７              菊座
８              絶縁カバー
Ｓ              スリーブ
Ｅ１            負荷側電線
Ｅ２            電源側電線
【図１】
2015015853.tif 000003
【図２】
2015015853.tif 000004
【図３】
2015015853.tif 000005
【図４】
2015015853.tif 000006
【図５】
2015015853.tif 000007
【図６】
2015015853.tif 000008
【図７】
2015015853.tif 000009